(57)【要約】【課題】形状の工夫により、部品点数の増加を伴わずに防滴ができ、しかも、外部との通気性を確保して内部おける結露を防止できるケースの簡易防滴構造を提供する。【解決手段】外部と防滴室１０との間に、水滴保持室２０Ａ，２０Ｂを設けると共に、該水滴保持室２０Ａ，２０Ｂと外部との外部仕切り壁４０Ａ，４０Ｂに排水孔４１を、該水滴保持室２０Ａ，２０Ｂと前記防滴室１０との内部仕切り壁３０Ａ，３０Ｂに通気孔３１をそれぞれ設け、前記通気孔３１を、前記水滴保持室２０Ａ，２０Ｂにある流体が、直接前記通気孔３１に流れ込むことなく、前記排水孔４１から流出するか、又は一旦前記水滴保持室２０Ａ，２０Ｂ内に溜まってから前記排水孔４１から流出するように形成する。【選択図】  図１
2004241715.tif 000002
【特許請求の範囲】
【請求項１】
外部と防滴室との間に、水滴保持室を設けると共に、該水滴保持室と外部との外部仕切り壁に排水孔を、該水滴保持室と前記防滴室との内部仕切り壁に通気孔をそれぞれ設け、前記通気孔を、前記水滴保持室にある流体が、直接前記通気孔に流れ込むことなく、前記排水孔から流出するか、又は一旦前記水滴保持室内に溜まってから前記排水孔から流出するように形成したことを特徴とするケースの簡易防滴構造。
【請求項２】
前記通気孔の水滴保持室側の開口部を、前記内部仕切り壁の壁面より突出した位置に設けることを特徴とする請求項１に記載のケースの簡易防滴構造。
【請求項３】
前記通気孔の水滴保持室側の開口部の前面に、覆い部材を設けたことを特徴とする請求項１又は２に記載のケースの簡易防滴構造。
【請求項４】
前記通気孔の水滴保持室側の開口部を、ケースを通常使用する姿勢又は保管時の姿勢にした状態において、前記排水孔の水滴保持室側の開口部よりも高い位置に設けることを特徴とする請求項１〜３のいずれか１項に記載のケースの簡易防滴構造。
【請求項５】
前記ケースが計測器用ケースであることを特徴とする請求項１〜４のいずれか１項に記載のケースの簡易防滴構造。
【請求項６】
前記ケースが携帯可能な温度計測器用ケースであることを特徴とする請求項５に記載のケースの簡易防滴構造。
【発明の詳細な説明】
【０００１】
【発明の属する技術分野】
本発明は、携帯用計測器等において、計測機器類を収納するケースの簡易防滴構造に関するものである。
【０００２】
【従来の技術】
通常、計測器等で使用するケースは、上下又は左右等の２つ以上の合成樹脂製や金属製の部品から形成され、凹凸の爪やネジ、蝶番等の結合構造、及び、接着や溶接等の接合構造により組み立てられている。
【０００３】
この２つ以上のケース部品で組み立てられたケース内に、電子部品等の水に弱い物を収納する場合は、ケースに防水機能や防滴機能が要求される。
【０００４】
そして、分解を想定しない完全防水の場合には、嵌合面を接着や溶接等により完全密封することが多いが、分解を想定する場合には、嵌合面を完全密封しないで、防水機能より水密度の低い防滴機能を付与する場合が多い。
【０００５】
この防滴機能は、嵌合面にＯリングやゴムブッシュ等のゴムパッキンを配置したり、合成樹脂系の充填剤を充填したりしてシールしたり、また、ケース全体を合成樹脂系材料で包み込んで完全密封したり、ケースを水密カバーで覆ったりする等によって行われている。
【０００６】
なお、この防滴構造の一例として、電子機器の表示装置と外装ケースとの間に複数の細いリブ構造を持つゴム製のパッキンを設置して外装ケースで圧縮したり、外部インタフェースまわりを一括して目隠しするプラスチック製のカバーを設けて、内周に設けた低重量で変形するゴム製パッキンを閉じたカバーで圧接したり、外部から接続されるケーブルに対してはケーブルを包むゴム製部品を用意して、カバーでこのゴム部品を押さえたりする電子機器の防滴構造がある（例えば、特許文献１参照。）。
【０００７】
【特許文献１】
特開２００１−７５４９５号公報  （第１−２頁）
【０００８】
【発明が解決しょうとする課題】
しかしながら、従来技術の防水・防滴構造の一つであるゴムパッキンを使用する場合には、汎用品や注文生産品の区別によらず、部品点数の増加と工数の増加となり、コストアップの要因となる。また、合成樹脂系の充填剤によりシールする場合には、ケースの再開封の作業性が悪くなり、ケース全体を合成樹脂系材料で包み込んで完全密封してしまう場合には再開封が困難となる。
【０００９】
また、ケースの材料の劣化や耐久性の問題からケースの一部が変形したり、携帯時や測定時に外力が加わって変形したりして、ケース部品の接合面に歪みが生じて、シール機能及び水密性が損なわれる場合も生じ、水分が防水・防滴エリアに侵入する場合も生じる。
【００１０】
そして、密封により防水・防滴機能を確保する場合には、一旦浸水を許すと、逆に侵入した水分の排出が困難になり、浸入した水分によるショートや材料特性の変化等が生じる等のケース内部の機器類のトラブルを発生する。
【００１１】
一方、携帯用の計測器等の場合には、機器類を収納している格納室と外部との間に通気性を要求される場合もある。
【００１２】
例えば、保管場所と使用場所によって温度変化が激しく、計測器を温かい室内から、寒い室外に持ち出して温度等の計測をするような時には、室外への移動に伴ってケースが冷却され内部の気圧が減少し負圧となる。また、使用時に内部で発熱するような場合には、内部空気の熱膨張により内部圧力が高まり、内部空気が外部に漏れ易く、漏れた場合には、温度低下時に外部に対して内部が負圧になる。
【００１３】
そのため、外部の高湿の空気やケースに付着した水分が、ケースの変形などにより生じた僅かな隙間から内部に侵入し、この水分が内部の温度低下により内部で結露が生じる等の問題が生じるが、水滴の混入後や結露が生じた後に、通気性を確保している場合には、暖機や乾燥作業により、ケース内の水分を蒸発させて通気により外部に排出させることが可能となる。そのため、外部との通気性が重要となる。
【００１４】
本発明は、上記の問題を解決するためになされたものであり、その目的は、形状の工夫により、部品点数の増加を伴わずに防滴ができ、しかも、外部との通気性を確保して内部における結露を防止できるケースの簡易防滴構造を提供することにある。
【００１５】
【課題を解決するための手段】
上記の目的を達成するための本発明に係るケースの簡易防滴構造は、外部と防滴室との間に、水滴保持室を設けると共に、該水滴保持室と外部との外部仕切り壁に排水孔を、該水滴保持室と前記防滴室との内部仕切り壁に通気孔をそれぞれ設け、前記通気孔を、前記水滴保持室にある流体が、直接前記通気孔に流れ込むことなく、前記排水孔から流出するか、又は一旦前記水滴保持室内に溜まってから前記排水孔から流出するように形成して構成される。
【００１６】
この構成によれば、外部と防滴室とは，排水孔と通気孔とを介して連通しているので、防滴室の空気は外部と流通でき、内部の気圧調整や湿度調整ができる。そのため、防滴室内における結露を防止できる。
【００１７】
また、ケース接合面の隙間や排水孔等を経由して、外部から侵入した水滴等の流体は直接通気孔に流れ込むことなく、排水孔から流出又は一旦水滴保持室内に溜まってから、溜まった時あるいはその後に排水孔から流出するので、防滴室への水滴の侵入を防止できる。また、水滴保持室に溜った流体は、排水孔から外部へ排出されるので、水滴保持室から防滴室への溢れを防止できる。
【００１８】
この通気孔の構成の一つとしては、通気孔の水滴保持室側の開口部を、内部仕切り壁の壁面より突出した位置に設ける構成がある。この構成によれば、外部から侵入した流体は内部仕切り壁の壁面上を流れ、通気孔の開口部に入ることがない。
【００１９】
また、通気孔の構成に他の例としては、開口部の大きさを小さくし、また、濡れ難く形成して、流体の表面張力により、水滴が通気孔を通過し難くする構成や、通気孔を撥水性材料でコーティングしたり、通気孔の水滴保持室側の開口部を撥水性と通気性を有するカバーで覆ったりする構成があり、これらの構成によっても、外部から前記水滴保持室に侵入した流体を、直接通気孔に流れ込むことなく、排水孔から流出又は一旦水滴保持室内に溜めてから排水孔から流出させることができる。
【００２０】
なお、通気性を確保しながら水分の通過を防止するような素材も開発され実用化しつつあるが、現状においては高価であり、ケース本体をこの素材で形成するのはコストアップになり、実用的ではない。
【００２１】
また、上記のケースの簡易防滴構造において、前記通気孔の水滴保持室側の開口部の前面に、覆い部材を設けて構成する。この構成にすると、この覆い部材により、水滴等の流体の通気孔への流入をより妨げることができる。即ち、この覆い部材は、開口部の前方を塞ぎ、開口部への気体の流路を曲げる機能を果たす。
【００２２】
更に、上記のケースの簡易防滴構造において、前記通気孔の水滴保持室側の開口部を、ケースを通常使用する姿勢又は保管時の姿勢にした状態において、前記排水孔の水滴保持室側の開口部よりも高い位置に設ける。この構成により、通気孔から防滴室への流体の侵入を妨げながら、水滴保持室に侵入した流体をより確実に排出することができる。
【００２３】
そして、特に、前記ケースが計測器用ケースである場合、前記ケースが携帯可能な温度計測器用ケースである場合に大きな効果を奏することができる。
【００２４】
【発明の実施の形態】
次に、本発明の実施の形態のケースの簡易防滴構造について図面を参照しながら説明する。
【００２５】
図１は、温度センサを着脱できる温度測定装置のケースを模式的に示したものであり、ケース１の内部は、センサプラグ室２０Ａと基板室１１と電池室１２と水滴保持室２０Ｂとに区分されている。この基板室１１と電池室１２が、防滴室（防滴エリア）１０を形成し、センサプラグ室２０Ａは水滴保持室２０Ａを兼ねる。
【００２６】
この防滴室１０と水滴保持室２０Ａ，２０Ｂとの間に内部仕切り壁３０Ａ，３０Ｂが設けられ、水滴保持室２０Ａ，２０Ｂと外部との間に外部仕切り壁４０Ａ，４０Ｂが設けられている。この外部仕切り壁４０Ａ，４０Ｂは、ケース本体１の筐体の外壁の一部を構成している。
【００２７】
この内部仕切り壁３０Ａ，３０Ｂに通気孔３１が設けられるが、この通気孔３１は、水滴保持室２０Ａ，２０Ｂ側の開口部３１ａを、内部仕切り壁３０の壁面３０ｆより突出量Ｈ１だけ突出した位置に設ける。また、防滴室１０側は面取りして形成し、防滴室１０側からは水滴保持室２０Ａ，２０Ｂ側へ、万一結露などで生じた水滴Ｗ１が流出し易い構造とする。
【００２８】
また、外部仕切り壁４０Ａ，４０Ｂには、外部の水滴Ｗ３が水滴保持室２０Ａ，２０Ｂに侵入したり、内部結露したりして生じた水滴Ｗ２が、水滴保持室２０Ａ，２０Ｂから外部に排出されるように、排水孔４１が形成される。これらの排水孔４１の水滴保持室２０Ａ，２０Ｂ側は、面取りして形成し、水滴保持室２０Ａ，２０Ｂ側から外部へ水滴Ｗ２が流出し易く構成する。
【００２９】
なお、排水孔４１は水滴保持室２０Ａ，２０Ｂに複数設けて、一方の通気孔３１から外部の空気を吸い込んで、他方の排水孔４１から水滴を排出し易いようにすることが好ましい。図１〜図４の構成では、排水孔４１は、水滴保持室２０ＢのそれぞれＢ方向，Ｅ方向、Ｆ方向及びＤ方向に設けられる。特に排水孔４１の一つは内部仕切り壁３０Ｂの壁面３０ｆの近傍に設けられている。
【００３０】
図２〜図４に示すように、この排水孔４１により、水滴保持室２０Ｂに侵入または結露等で発生した水滴Ｗ２は、ケース本体１をどのような姿勢に保持してもいずれかの排水孔４１が通気孔３１の開口部３１ａよりも低い位置になるので、矢印ｇで示す重力の作用方向に流れ外部に流出することになる。
【００３１】
この排水孔４１の配置においては、通常使用する姿勢が略決まっている場合や、保管時の姿勢が一定である場合には、必ずしも全方向に対して排水孔４１を設ける必要は無く、その通常使用する姿勢において、排水孔４１の開口部４１ａが通気孔３１の開口部３１ａよりも低い位置になるように排水孔４１を形成するか、保管時の姿勢において排水孔４１の開口部４１ａが通気孔３１の開口部３１ａよりも低い位置になるように排水孔４１を形成するかすればよい。また、両方を兼ね揃えてもよい。
【００３２】
また、ケース１の姿勢が変化すると、通常は水滴Ｗ２は内部仕切り壁３０Ａ，３０Ｂの壁面３０ｆや外部仕切り壁４０Ａ，４０Ｂの壁面を伝わって移動するので、その移動途中で排水孔４１に入り外部に流出する場合もある。
【００３３】
図５〜図８は、具体的な温度計測装置に本発明のケースの簡易防滴構造を設けた例を示す。図５はケース１の上側部分１Ａを斜視図で示し、図６はケース１の下側部分１Ｂを斜視図で示したものであり、図７はケース１の上側部分１Ａの３面図で、図８はケース１の下側部分１Ｂの３面図である。
【００３４】
ケース１の上側部分１Ａと下側部分１Ｂとの嵌合面は、凹凸により嵌合し、水密性を高めるように構成され、ケース１のＡ方向部分及びＢ方向部分に水滴保持室２０Ａ，２０Ｂが設けられ、この水滴保持室２０Ａ，２０Ｂと、防滴室１０である基板室１１と電池室１２とのそれぞれの間に内部仕切り壁３０Ａ，３０Ｂが設けられ、この内部仕切り壁３０Ａ，３０Ｂに通気孔３１が設けられている。また、水滴保持室２０Ａ，２０Ｂと外部との間の外部仕切り壁４０Ａ，４０Ｂには排水孔４１が設けられている。
【００３５】
次に、水滴保持室２０と防滴室１０との間の内部仕切り壁３０に設ける通気孔３１の形状について、図９〜図１３を参照しながら説明する。
【００３６】
図９は、濡れ難い材質で内部仕切り壁３０を形成し、水滴Ｗ２の表面張力により、水滴Ｗ２の通過が困難な大きさで開口した通気孔３１を示し、図１０は、通気孔３１の水滴保持室２０側の開口部３１ａを、内部仕切り壁３０の壁面３０ｆより突出した位置に設ける構成を示す。図１０の（ａ）は、円柱形状で突出し、（ｂ）は突出部を伝わって水滴が開口部３１ａに入るのを防止すべく開口部３１ａ付近に水滴の返し３１ｂを設けている。
【００３７】
図１１は、通気孔３１の水滴保持室２０側の開口部３１ａの前面に、覆い部材５０を設けた構成を示す。この覆い部材５０により、水滴Ｗ２の通気孔３１への流入をより効果的に妨げることができる。
【００３８】
また、図１２は、通気孔３１内部又は開口部３１ａの周囲を撥水性材料６０でコーティングした構成を示し、図１３は、通気孔３１の水滴保持室２０側の開口部３１ａを撥水性と通気性を有するカバー７０で覆う構成を示す。
【００３９】
これらの構成によって、外部から水滴保持室２０に侵入した水滴Ｗ２を、直接通気孔３１に流れ込むことなく、排水孔４１から流出又は一旦水滴保持室２０内に溜めてから排水孔４１から流出させることができる。
【００４０】
【発明の効果】
以上に説明したように、本発明のケースの簡易防滴構造によれば、外部と防滴室とは，排水孔と通気孔とを介して連通しているので、防滴室の空気は外部と流通できる。そのため、防滴室内における結露を防止できる。
【００４１】
また、ケース接合面の隙間や排水孔等を経由して、外部から侵入した水滴等の流体は直接通気孔に流れ込むことなく、排水孔から流出又は一旦水滴保持室内に溜まってから、溜まった時あるいはその後に排水孔から流出するので、防滴室への水滴の侵入を防止できる。また、水滴保持室に溜った流体は、排水孔から外部へ排出されるので、水滴保持室から防滴室への溢れを防止できる。
【００４２】
また，通気孔の水滴保持室側の開口部を、内部仕切り壁の壁面より突出した位置に設ける構成によれば、外部から侵入した流体は内部仕切り壁の壁面上を流れ、通気孔の開口部に入ることを防止できる。
【００４３】
また、通気孔の水滴保持室側の開口部の前面に、覆い部材を設けて構成すると、この覆い部材により、水滴等の流体の通気孔への流入をより妨げることができる。
【００４４】
更に、上記のケースの簡易防滴構造において、前記通気孔の水滴保持室側の開口部を、ケースを通常使用する姿勢又は保管時の姿勢にした状態において、前記排水孔の水滴保持室側の開口部よりも高い位置に設ける構成により、通気孔から防滴室への流体の侵入を妨げながら、水滴保持室に侵入した流体をより確実に排出することができる。
【図面の簡単な説明】
【図１】本発明の実施の形態のケースの簡易防滴構造を示す中央断面を含む斜視図である。
【図２】図１のケースの簡易防滴構造における水滴の排出状況を模式的に示す部分断面図であり、ケースのＢ方向を上にした場合を示す。
【図３】図１のケースの簡易防滴構造における水滴の排出状況を模式的に示す部分断面図であり、ケースのＥ方向を上にした場合を示す。
【図４】図１のケースの簡易防滴構造における水滴の排出状況を模式的に示す部分断面図であり、ケースのＡ方向を上にした場合を示す。
【図５】本発明に係るケースの簡易防滴構造を用いたケースの上側部分を示す斜視図である。
【図６】本発明に係るケースの簡易防滴構造を用いたケースの下側部分を示す斜視図である。
【図７】図５のケースの上側部分を示す図で、（ａ）は平面図を、（ｂ）は正面図を、（ｃ）は右側面図を示す。
【図８】図６のケースの下側部分を示す図で、（ａ）は平面図を、（ｂ）は正面図を、（ｃ）は右側面図を示す。
【図９】通気孔の形状の一例を示す図である。
【図１０】通気孔の形状の例を示す図であり、（ａ）は円柱形状で突出した通気孔を示し、（ｂ）は突出した通気孔の開口部付近に水滴の返しを設けた通気孔を示す。
【図１１】開口部の前面に覆い部材を設けた通気孔を示す図であり、（ａ）は開口部の前面に開口部を塞ぐように覆い部材を設けた通気孔を示し、（ｂ）は覆い部材を通気孔の突出部分と一体的に設け、開口部を突出部分の側面に設けた通気孔を示す。
【図１２】撥水性材料でコーティングした通気孔を示す図であり、（ａ）は内部通路に撥水材料を塗布した通気孔を示し、（ｂ）は開口部周辺に撥水材料を塗布した通気孔を示す。る。
【図１３】開口部を撥水性と通気性を有するカバーで覆った通気孔を示す図である。
【記号の簡単な説明】
１  ケース
１０  防滴室
２０Ａ，２０Ｂ  水滴保持室
３０Ａ，３０Ｂ  内部仕切り壁
３０ｆ  壁面
３１  通気孔
３１ａ  開口部
４０Ａ，４０Ｂ  外部仕切り壁
４１  排水孔
４１ａ  開口部
５０  覆い部材
【図１】
2004241715.tif 000003
【図２】
2004241715.tif 000004
【図３】
2004241715.tif 000005
【図４】
2004241715.tif 000006
【図５】
2004241715.tif 000007
【図６】
2004241715.tif 000008
【図７】
2004241715.tif 000009
【図８】
2004241715.tif 000010
【図９】
2004241715.tif 000011
【図１０】
2004241715.tif 000012
【図１１】
2004241715.tif 000013
【図１２】
2004241715.tif 000014
【図１３】
2004241715.tif 000015